(57)【特許請求の範囲】
【請求項１】
カメラ用三脚に取付可能な取付部材と、カメラの三脚用ネジ穴によりカメラを取付け可能な保持部材とからなり、上記保持部材を該保持部材に取付けられたカメラのレンズの中心軸を中心として角度回動固定可能な角度回動機構を設けてなり、上記角度回動機構として、上記保持部材にカメラのレンズの中心軸を中心とする円弧状の案内溝部を設けると共に上記取付部材に該案内溝部に係合案内可能な案内ロールを設け、該取付部材に該保持部材の案内溝部の底面に圧接係止されて保持部材を任意の位置に位置固定可能なクランプネジからなる固定部材を設けてなることを特徴とするカメラ用三脚補助具。
【請求項２】
上記角度回動機構に上記保持部材を０度位置及び９０度位置に位置決め可能なストッパー部を設けてなることを特徴とする請求項１記載のカメラ用三脚補助具。
【請求項３】
上記保持部材にカメラの底面及び一方側面に当接可能な互いに９０度をなす二つの当接保持面を形成してなることを特徴とする請求項１又は２記載のカメラ用三脚補助具。
【請求項４】
上記取付部材にカメラ用三脚の取付ネジに螺着可能な取付ネジ穴を形成し、上記保持部材にカメラの三脚用ネジ穴に螺着可能な取付ネジを設けてなることを特徴とする請求項１〜３のいずれか１項に記載のカメラ用三脚補助具。
【発明の詳細な説明】
【０００１】
【発明の属する技術分野】
本発明は例えば６×４．５判一眼レフカメラに用いられるカメラ用三脚補助具に関するものである。
【０００２】
【従来の技術】
従来この種のカメラ用三脚補助具として、カメラ用三脚に取付部材を取付け、カメラの三脚用ネジ穴によりカメラを取付け可能な保持部材を横用や縦用等の数種類形成し、取付部材と数種類の保持部材とを着脱自在に設け、取付部材に横用や縦用の保持部材を着脱交換することにより三脚にカメラを横位置や縦位置に固定するようにしたものが知られている。
【０００３】
【発明が解決しようとする課題】
しかしながらこの従来構造の場合、取付部材に横用や縦用の保持部材を着脱交換する構造のため、位置変更が厄介であると共にカメラのレンズの中心軸がずれてしまうことになり、それだけ被写体に対してのカメラアングルをセットし直さなければならず、使用快適性に劣ることがあるという不都合を有している。
【０００４】
【課題を解決するための手段】
本発明はこれらの課題を解決することを目的とするもので、本発明のうちで、請求項１記載の発明は、カメラ用三脚に取付可能な取付部材と、カメラの三脚用ネジ穴によりカメラを取付け可能な保持部材とからなり、上記保持部材を該保持部材に取付けられたカメラのレンズの中心軸を中心として角度回動固定可能な角度回動機構を設けてなり、上記角度回動機構として、上記保持部材にカメラのレンズの中心軸を中心とする円弧状の案内溝部を設けると共に上記取付部材に該案内溝部に係合案内可能な案内ロールを設け、該取付部材に該保持部材の案内溝部の底面に圧接係止されて保持部材を任意の位置に位置固定可能なクランプネジからなる固定部材を設けてなることを特徴とするカメラ用三脚補助具にある。
【０００５】
又、請求項２記載の発明は、上記角度回動機構に上記保持部材を０度位置及び９０度位置に位置決め可能なストッパー部を設けてなることを特徴とするものであり、又、請求項３記載の発明は、上記保持部材にカメラの底面及び一方側面に当接可能な互いに９０度をなす二つの当接保持面を形成してなることを特徴とするものであり、又、請求項４記載の発明は、上記取付部材にカメラ用三脚の取付ネジに螺着可能な取付ネジ穴を形成し、上記保持部材にカメラの三脚用ネジ穴に螺着可能な取付ネジを設けてなることを特徴とするものである。
【０００６】
【発明の実施の形態】
図１乃至図６は本発明の実施の形態例を示し、Ｗはカメラであって、この場合、カメラＷの側面及び一方側面に互いに９０度をなす二つの当接面Ｗ1・Ｗ2が形成され、二つの当接面Ｗ1・Ｗ2にそれぞれ三脚用ネジ穴Ｍ・Ｍが形成された構造となっている。
【０００７】
１は取付部材であって、この場合、左右の側板１ａ・１ａ及び底板１ｂを組付けてなり、底板１ｂにカメラ用三脚Ｓの台座Ｓ1に設けられた取付ネジＦに螺着可能な取付ネジ穴２が形成され、取付ネジＦを取付ネジ穴２に螺着することにより、カメラ用三脚Ｓの台座Ｓ1に取付部材１を着脱自在に取り付けるように構成している。尚、材質はアルミニュウムや合成樹脂により製作される。
【０００８】
３は保持部材であって、この場合、上記保持部材３にカメラの底面及び一方側面に形成された二つの当接面Ｗ1・Ｗ2に当接可能な互いに９０度をなす二つの当接保持面３ａ・３ｂを形成し、かつ、二つの当接保持面３ａ・３ｂにそれぞれ三脚用ネジ穴Ｍ・Ｍに螺着可能な取付ネジ４・４が挿通可能な取付穴５・５をバネ部材６・６により突没自在に設けて構成している。従って、カメラＷの種類に応じて、三脚用ネジ穴Ｍが一つのものや二つのものがあるが、三脚用ネジ穴Ｍが一つのカメラＷの場合には、いずれか一方三脚用ネジ穴Ｍを使用すれば良いし、三脚用ネジ穴Ｍが二つある場合にも、いずれか一方のものを使用しても良いし、又、カメラＷの種類に応じて、かつ、カメラＷのレンズの中心軸Ｏの位置により保持部材３を製作すれば良いことになる。又、材質はアルミニュウムや合成樹脂により製作される。
【０００９】
７は角度回動機構であって、上記保持部材３を保持部材３に取付けられたカメラＷのレンズの中心軸Ｏを中心として角度回動固定可能に構成され、この場合、上記保持部材３の両側面にカメラＷのレンズの中心軸Ｏを中心とする半径Ｒの円弧状の案内溝部７ａ・７ａを形成すると共に上記取付部材１の両側板１ａ・１ａの内面に案内溝部７ａ・７ａに係合案内可能な玉軸受をもつ一対の計四個の案内ロール７ｂ・７ｂを突設し、かつ、取付部材１の側板１ａに保持部材３の案内溝部７ａの底面に圧接係止されて保持部材３を任意の位置に位置固定可能なクランプネジからなる固定部材８を螺着して構成している。
【００１０】
又、この場合、上記保持部材３に取付部材１の両側板１ａ・１ａの両側面に当接して保持部材３を０度位置の横位置及び９０度位置の縦位置に位置決め可能な板材からなるストッパー部９・９を取り付けて構成している。
【００１１】
この実施の形態例は上記構成であるから、図５の如く、カメラ用三脚Ｓに取付部材１を取付け、カメラＷの三脚用ネジ穴ＭによりカメラＷを保持部材３に取付けることになり、そして、保持部材３を角度回動機構７により角度回動させることにより、カメラＷをレンズの中心軸Ｏを中心として、図５の水平な横位置や図６の垂直な縦位置、又は、これらの中間角度位置に位置変更することができ、カメラＷの位置変更を容易に行うことができると共に回動位置変更があっても、カメラＷのレンズの中心軸Ｏのずれをなくすことができ、被写体に対してのカメラアングルをセットし直す必要がなくなり、それだけ撮影の使用快適性を高めることができる。
【００１２】
又、この場合、上記角度回動機構７として、上記保持部材３にカメラＷのレンズの中心軸Ｏを中心とする半径Ｒの円弧状の案内溝部７ａを設けると共に上記取付部材１に案内溝部３ａに係合案内可能な案内ロール７ｂを設け、取付部材１に保持部材３を位置固定可能な固定部材８を設けて構成しているから、構造を簡素化することができると共に案内溝部３ａと案内ロール７ｂとの転がり摺動係合案内により円滑に保持部材３を角度回動させることができ、かつ、固定部材８により保持部材３を任意の角度回動位置に固定することができ、又、この場合、上記角度回動機構７に上記保持部材３を０度位置及び９０度位置に位置決め可能なストッパー部９・９を設けてなるから、カメラＷを容易に横位置又は縦位置に位置変更することができ、又、この場合、上記保持部材３にカメラＷの底面Ｗ1及び一方側面Ｗ2に当接可能な互いに９０度をなす二つの当接保持面３ａ・３ｂを形成してなるから、カメラＷを保持部材３に確実に固定することができ、又、この場合、上記取付部材１にカメラ用三脚Ｓの取付ネジＦに螺着可能な取付ネジ穴２を形成し、保持部材３にカメラＷの三脚用ネジ穴Ｍに螺着可能な取付ネジ４を設けてなるから、保持部材３とカメラＷとの着脱及び取付部材１とカメラ用三脚Ｓとの着脱を容易に行うことができ、一層使用の快適性を高めることができる。
【００１３】
尚、本発明は上記実施の形態例に限られるものではなく、他の形状のカメラＷにも適用され、又、取付部材１や保持部材３、角度回動機構７の構造や形態等は適宜設計して変更される。
【００１４】
【発明の効果】
本発明は上述の如く、請求項１記載の発明にあっては、カメラ用三脚に取付部材を取付け、カメラの三脚用ネジ穴によりカメラを保持部材に取付けることになり、そして、保持部材を角度回動機構により角度回動させることにより、カメラをレンズの中心軸を中心として、横位置や縦位置、これらの中間角度位置に位置変更することができ、カメラの位置変更を容易に行うことができると共に回動位置変更があっても、カメラのレンズの中心軸のずれをなくすことができ、被写体に対してのカメラアングルをセットし直す必要がなくなり、それだけ撮影の使用快適性を高めることができ、かつ、上記角度回動機構として、上記保持部材にカメラのレンズの中心軸を中心とする円弧状の案内溝部を設けると共に上記取付部材に該案内溝部に係合案内可能な案内ロールを設け、該取付部材に該保持部材の案内溝部の底面に圧接係止されて保持部材を任意の位置に位置固定可能なクランプネジからなる固定部材を設けて構成しているから、構造を簡素化することができると共に案内溝部と案内ロールとの案内により円滑に保持部材を角度回動させることができ、かつ、固定部材により保持部材を任意の角度回動位置に固定することができる。
【００１５】
又、請求項２記載の発明にあっては、上記角度回動機構に上記保持部材を０度位置及び９０度位置に位置決め可能なストッパー部を設けてなるから、カメラを容易に横位置又は縦位置に位置変更することができ、又、請求項３記載の発明にあっては、上記保持部材にカメラの底面及び一方側面に当接可能な互いに９０度をなす二つの当接保持面を形成してなるから、カメラを保持部材に確実に固定することができ、又、請求項４記載の発明にあっては、上記取付部材にカメラ用三脚の取付ネジに螺着可能な取付ネジ穴を形成し、上記保持部材にカメラの三脚用ネジ穴に螺着可能な取付ネジを設けてなるから、保持部材とカメラとの着脱及び取付部材とカメラ用三脚との着脱を容易に行うことができ、一層使用の快適性を高めることができる。
【００１６】
以上の如く、所期の目的を充分達成することができる。
【図面の簡単な説明】
【図１】本発明の実施の形態例の全体斜視図である。
【図２】本発明の実施の形態例の平断面図である。
【図３】本発明の実施の形態例の側面図である。
【図４】本発明の実施の形態例の部分側断面図である。
【図５】本発明の実施の形態例の使用状態の正面図である。
【図６】本発明の実施の形態例の使用状態の正面図である。
【符号の説明】
Ｗ  カメラ
Ｓ  カメラ用三脚
１  取付部材
２  ネジ穴
３  保持部材
４  取付ネジ
５  取付穴
７  角度回動機構
７ａ  案内溝部
７ｂ  案内ロール
８  固定部材
【図１】
0003622178.tif 000002
【図２】
0003622178.tif 000003
【図３】
0003622178.tif 000004
【図４】
0003622178.tif 000005
【図５】
0003622178.tif 000006
【図６】
0003622178.tif 000007